(57)【要約】      （修正有）【課題】矯正歯科の学習者や臨床医にとって視覚的に容易に理解可能な歯の矯正をシミュレートするための器具を提供する。【解決手段】歯の矯正をシミュレートするための器具は、少なくとも二つの歯を表す第一のチップ１３，１４と、第一のチップ１３，１４と同数の互いに平行な線分状の溝１１，１２を有するプレート１０を備えており、第一のチップ１３，１４はそれぞれ溝１１，１２に半固定されており、溝１１，１２に沿って移動可能であってかつプレート１０上において回転可能であり、第一のチップ１３，１４にはそれぞれ金属製のワイヤーを接続することが可能なブラケット１３ｂ，１４ｂが取り付けられている。【選択図】図１
0003200503.tif 000002
【実用新案登録請求の範囲】
【請求項１】
少なくとも二つの歯を表す第一のチップと、
前記第一のチップと同数の互いに平行な線分状の溝を有するプレート
を備えており、
前記第一のチップはそれぞれ前記溝に半固定されており、前記溝に沿って移動可能であってかつ前記プレート上において回転可能であり、
前記第一のチップにはそれぞれ金属製のワイヤーを接続することが可能なブラケットが取り付けられている、歯の矯正をシミュレートするための器具。
【請求項２】
前歯を表す複数の第二のチップと、
奥歯を表す少なくとも二つの第三のチップと、
歯並びを表す曲線が描かれたプレート
を備えており、
前記第二のチップは前記プレート上に完全に固定されており、
前記第三のチップは前記プレート上を移動及び回転することができるように半固定されており、
前記第二のチップ及び前記第三のチップにはそれぞれ金属製のワイヤーを接続することが可能なブラケットが取り付けられている、歯の矯正をシミュレートするための器具。
【請求項３】
少なくとも二つの歯の垂直方向の位置を表す第一のチップと、
平面上の前歯の位置を表す複数の第二のチップと、
平面上の前歯の位置を表す少なくとも二つの第三のチップと、
前記第一のチップと同数の互いに平行な線分状の溝を有し、平面上の歯並びを表す曲線が描かれたプレート
を備えており、
前記第一のチップはそれぞれ前記溝に半固定されており、前記溝に沿って移動可能であってかつ前記プレート上において回転可能であり、
前記第二のチップは前記プレート上に完全に固定されており、
前記第三のチップは前記プレート上を移動及び回転することができるように半固定されており、
前記第一のチップ、前記第二のチップ及び前記第三のチップにはそれぞれ金属製のワイヤーを接続することが可能なブラケットが取り付けられている、歯の矯正をシミュレートするための器具。
【請求項４】
前記第一のチップと同数のボルトとナットをさらに備えており、
前記第一のチップがそれぞれ前記ボルトと前記ナットにより前記溝に半固定されている、請求項１又は３に記載の歯の矯正をシミュレートするための器具。
【請求項５】
前記プレートが金属製であって前記第三のチップには磁石がさらに取り付けられていることにより、前記プレートへの前記第三のチップの半固定を実現する、請求項２乃至４のいずれかに記載の歯の矯正をシミュレートするための器具。
【考案の詳細な説明】
【技術分野】
【０００１】
本考案は、歯科医療及び歯科教育に関し、特に、矯正歯科及びその教育に関する。
【背景技術】
【０００２】
現在、矯正歯科における矯正を治療前にシミュレートするために、セットアップ模型と言われる石膏模型を作成することが広く行われている。この石膏模型は、患者の口の噛み合わせ部分から型を取って作成するものであり、模型に含まれる患者の矯正対象の歯に対応する部分を一旦切断してワックスで半固定することにより、石膏模型中の歯に可動性を持たせ、ワイヤーを掛けたときの歯の動きをシミュレートすることが出来る。なお、本明細書において「半固定する」とは、当該部材を制限された可動性を有する状態にすることを意味する。
【０００３】
しかしながら、石膏模型の作成には手間が掛かる上に、ワックスで半固定された歯の動きは人体との材質の違いから必ずしも実際の歯の動きに則していない。また、石膏模型において歯を動かすためにはワックスを溶融させるために温水を使うなど煩雑な作業を行う必要もある。
【考案の開示】
【考案が解決しようとする課題】
【０００４】
本考案が解決しようとする課題は、矯正歯科の学習者や臨床医にとって視覚的に容易に理解可能な歯の矯正をシミュレートするための器具を提供することである。
【課題を解決するための手段】
【０００５】
本考案による歯の矯正をシミュレートするための器具は、少なくとも二つの歯を表す第一のチップと、前記第一のチップと同数の互いに平行な線分状の溝を有するプレート
を備えており、前記第一のチップはそれぞれ前記溝に半固定されており、前記溝に沿って移動可能であってかつ前記プレート上において回転可能であり、前記第一のチップにはそれぞれ金属製のワイヤーを接続することが可能なブラケットが取り付けられていることにより、上記課題を解決する。
【０００６】
本考案による別の歯の矯正をシミュレートするための器具は、前歯を表す複数の第二のチップと、奥歯を表す少なくとも二つの第三のチップと、歯並びを表す曲線が描かれたプレートを備えており、前記第二のチップは前記プレート上に完全に固定されており、前記第三のチップは前記プレート上を移動及び回転することができるように半固定されており、前記第二のチップ及び前記第三のチップにはそれぞれ金属製のワイヤーを接続することが可能なブラケットが取り付けられていることにより、上記課題を解決する。
【０００７】
本考案によるさらに別の歯の矯正をシミュレートするための器具は、少なくとも二つの歯の垂直方向の位置を表す第一のチップと、平面上の前歯の位置を表す複数の第二のチップと、平面上の前歯の位置を表す少なくとも二つの第三のチップと、前記第一のチップと同数の互いに平行な線分状の溝を有し、平面上の歯並びを表す曲線が描かれたプレート
を備えており、前記第一のチップはそれぞれ前記溝に半固定されており、前記溝に沿って移動可能であってかつ前記プレート上において回転可能であり、前記第二のチップは前記プレート上に完全に固定されており、前記第三のチップは前記プレート上を移動及び回転することができるように半固定されており、前記第一のチップ、前記第二のチップ及び前記第三のチップにはそれぞれ金属製のワイヤーを接続することが可能なブラケットが取り付けられていることにより、上記課題を解決する。
【０００８】
前記第一のチップと同数のボルトとナットをさらに備えており、前記第一のチップはそれぞれ前記ボルトと前記ナットにより前記溝に半固定されていてもよい。
【０００９】
前記プレートが金属製であって前記第三のチップには磁石がさらに取り付けられていることにより、前記プレートへの前記第三のチップの半固定が実現されてもよい。
【考案の効果】
【００１０】
本考案による歯の矯正をシミュレートするための器具は、ワイヤー矯正による歯の動きを平面上において視覚的に示すことができるため、使用者は矯正により予想される歯の動きを容易に知ることができる。そのため、本考案の器具は矯正歯科の学習者や臨床医による使用に適している。
【００１１】
また、本考案による歯の矯正をシミュレートするための器具によれば、患者の歯型を取って石膏模型を作る必要がなく、駆動に電気等の特別な動力も必要としない。そのため、臨床医等の使用者は、温水を用いたワックスの溶融のような手間が掛かる作業を行うことなしに、器具上のブラケットにワイヤーを固定するだけで手動により種々の矯正シミュレーションを行うことができる。
【００１２】
さらに、本考案の歯の矯正をシミュレートするための器具は、垂直方向と水平面の二つの平面上における歯の動きを示すことができるため、立体の石膏模型によるシミュレーションと比較して歯の移動方向の認識が容易であり、使用者は予定される矯正後の歯の位置や方向を容易にイメージすることができる。
【考案を実施するための最良の形態】
【００１３】
以下、図面を参照しながら本考案の実施の形態について説明する。
【実施例１】
【００１４】
図１は、本考案による歯の矯正をシミュレートするための器具の概略平面図を示す。本考案による歯の矯正をシミュレートするための器具は、略長方形のプレート１０上に構成部品を取り付けたものであり、前記構成部品はそれぞれ一つの歯を表す第一のチップ１３，１４と、それぞれ一つの前歯（切歯）を表す第二のチップ２１〜２４と、それぞれ一つの奥歯（大臼歯）を表す第三のチップ１６，１８を含む。好適には、プレート１０は鉄、鉄鋼等の磁石が吸着可能な金属板であり、第一乃至第三のチップ１３，１４，１６，１８，２１〜２４は白色の合成樹脂の小片である。製造の容易性から、第一乃至第三のチップ１３，１４，１６，１８，２１〜２４の形状は略長方形であることが望ましいが、シミュレーションの精度を高めるためにこれらの形状を歯の平面形状等に合わせてもよい。以下の説明においては、本考案の器具を人間の歯の矯正のシミュレーションに使用する場合を想定するが、後述するように、本考案の器具を人間以外の動物の歯の矯正に応用することも可能である。
【００１５】
プレート１０の右半分は歯の垂直方向の矯正を表し、プレート１０の左半分は歯の水平面上の矯正を表す。プレート１０の右半分と左半分は互いに独立した矯正を表していて干渉することがないため、プレート１０の右半分のみ又はプレート１０の左半分のみを独立した器具として構成しても、本考案の目的を達成することが可能である。プレート１０の右半分には略長方形の溝１１，１２が設けられており、この溝１１，１２に沿って移動可能になるように第一のチップ１３，１４が半固定されている。
【００１６】
図２は、図１上の一点鎖線ＡＡ´に沿った本考案による器具の断面図である。図２は、プレート１０上の第一のチップ１２と第三のチップ１８が存在する側（図１では下方）から見た図である。図２の右半分に示される通り、チップ１３は、溝１１を通るボルト１３ａと二つのワッシャ１３ｃ，１３ｄによりプレート１０に半固定されている。その結果、チップ１３は、溝１１に沿ってプレート１０上を摺動することが可能となる。なお、図２においてはボルト１３ａのネジ切りについて図示を省略している。断面図を示していないが、チップ１４についてもチップ１３と同様に溝１２を通るボルト１４ａと二つのワッシャ（不図示）によりプレート１０に半固定されている。
【００１７】
次に、プレート１０の左半分について説明する。再び図１を参照すると、プレート１０の左半分には人間の歯並びを表す曲線１５が描かれている。曲線１５に代えて、犬歯や小臼歯等の人間の歯全てに対応するチップがプレート１０上に設置されていてもよい。前歯を表す第二のチップ２１〜２４は、接着剤等によりプレート１０に完全に固定されている。一方、奥歯を表す第三のチップ１６，１８は、裏面に取り付けられた磁石によりプレート１０に吸着しているのみであり、プレート１０上を自由に摺動することができる。第三のチップ１６の裏面に磁石１６ｅが設けられている状態は図２に示す通りであるが、第三のチップ１８についても同様に磁石が取り付けられている。
【００１８】
第一乃至第三のチップ１３，１４，１６，１８，２１〜２４には、それぞれ接着剤等によりブラケット１３ｂ，１４ｂ，１６ｂ，１８ｂ，２１ｂ，２２ｂ，２３ｂ，２４ｂが取り付けられている。これらのブラケット１３ｂ，１４ｂ，１６ｂ，１８ｂ，２１ｂ，２２ｂ，２３ｂ，２４ｂは、金属製のワイヤーを通して固定することが可能なものであり、好適には矯正歯科医療において実際の歯列矯正に使用されるものと同じ部材である。ブラケットの材質は、一般にはステンレス鋼等の金属、セラミック又は強化プラスチック（エポキシ樹脂に炭素繊維を添加したものなど）等である。
【００１９】
図３は、本考案による歯の矯正をシミュレートするための器具においてチップ上のブラケットにワイヤーを通した状態を示す。ここでは、ワイヤー３１がブラケット１３ｂ，１４ｂに通されており、ワイヤー３２がブラケット１６ｂ，１８ｂに通されている。ワイヤー３１，３２は、好適には矯正歯科医療において実際の歯の矯正に使用されるものと同じ部材であり、ステンレス鋼、ニッケルチタン等の弾性を有する人体に無害な各種合金により作られている。
【００２０】
次に、本考案による歯の矯正をシミュレートするための器具を使用した具体的な矯正シミュレーションの例について説明する。図４は、本考案の器具による垂直方向の矯正シミュレーションの例を示す説明図である。図４は、図１の右半分に対応しており、説明の簡略化のためプレート１０、溝１１，１２等については図示を省略している。図４において、第一のチップ１３は矯正対象の患者の右奥歯、第二のチップ１４は左奥歯にそれぞれ対応し、上下方向は矯正対象の患者の口内における方向と同一である。
【００２１】
センターベンドと呼ばれる点線３１−４に示される形状に一点で折り曲げられたワイヤー３１の両端をブラケット１３ｂ，１４ｂにそれぞれ固定し、ワイヤー３１の変曲点を位置３１ａ−４において使用者の手で押さえると、ワイヤー３１は図示されるような曲線を呈する。このとき、ワイヤー３１は弾性により点線３１−４の位置及び形状に戻ろうとするため、ブラケット１３ｂ，１４ｂを介して第一のチップ１３，１４にはそれぞれ回転する力が掛かる。このときの回転方向は、図４において第一のチップ１３，１４の下部にそれぞれ記載されている通り、第一のチップ１３について反時計回り、第一のチップ１４について時計回りである。その結果、第一のチップ１３，１４はプレート１０上においてそれぞれ力が掛かった方向に摺動する。
【００２２】
このことから、本考案による器具の使用者は、左右の歯の先端をいずれも内側に向けて矯正したい場合に、センターベンドと呼ばれる点線３１−４の形状にワイヤーを折り曲げれば良いと理解することができる。
【００２３】
図５は、本考案の器具による別の垂直方向の矯正シミュレーションの例を示す説明図である。図４と同様に、図５も図１の右半分に対応しており、第一のチップ１３，１４と矯正対象の患者の歯の対応も図４と同様である。
【００２４】
カンチレバーと呼ばれる点線３１−５に示される形状に一点で折り曲げられたワイヤー３１の両端をブラケット１３ｂ，１４ｂにそれぞれ固定し、ワイヤー３１の変曲点を位置３１ａ−５において使用者の手で押さえると、ワイヤー３１は図示されるような曲線を呈する。このとき、ワイヤー３１は弾性により点線３１−５の位置及び形状に戻ろうとするため、図示されるように、ブラケット１３ｂを介して第一のチップ１３には上方向への力と反時計回りの回転力が掛かり、ブラケット１４ｂを介して第一のチップ１４には下方向への力が掛かる。その結果、第一のチップ１３，１４はプレート１０上においてそれぞれ力が掛かった方向に摺動する。
【００２５】
このことから、本考案による器具の使用者は、矯正対象の患者の右の歯をその先端を内側に向けつつ上方向に、患者の左の歯を下方向にそれぞれ矯正したい場合に、カンチレバーと呼ばれる点線３１−５の形状にワイヤーを折り曲げれば良いと理解することができる。
【００２６】
図６は、本考案の器具による別の垂直方向の矯正シミュレーションの例を示す説明図である。図４及び図５と同様に、図６も図１の右半分に対応しており、第一のチップ１３，１４と矯正対象の患者の歯の対応も図４及び図５と同様である。
【００２７】
オフセンターベンドと呼ばれる点線３１−６に示される形状に一点で折り曲げられたワイヤー３１の両端をブラケット１３ｂ，１４ｂにそれぞれ固定し、ワイヤー３１の変曲点を位置３１ａ−６において使用者の手で押さえると、ワイヤー３１は図示されるような曲線を呈する。このとき、ワイヤー３１は弾性により点線３１−６の位置及び形状に戻ろうとするため、図示されるように、ブラケット１３ｂを介して第一のチップ１３には上方向への力と反時計回りの回転力が掛かり、ブラケット１４ｂを介して第一のチップ１４には下方向への力と反時計回りの回転力が掛かる。このとき、第一のチップ１３に掛かる力は、第一のチップ１４に掛かる力より大きい。その結果、第一のチップ１３，１４はプレート１０上においてそれぞれ力が掛かった方向に摺動し、第一のチップ１３の移動の大きさは第一のチップ１４の移動の大きさより大きい。
【００２８】
このことから、本考案による器具の使用者は、主に矯正対象の患者の右の歯に対して、患者の右の歯をその先端を内側に向けつつ上方向に、患者の左の歯をその先端を外側に向けつつ下方向にそれぞれ矯正したい場合に、オフセンターベンドと呼ばれる点線３１−６の形状にワイヤーを折り曲げれば良いと理解することができる。
【００２９】
図７は、本考案の器具による別の垂直方向の矯正シミュレーションの例を示す説明図である。図４〜６と同様に、図６も図１の右半分に対応しており、第一のチップ１３，１４と矯正対象の患者の歯の対応も図４〜６と同様である。
【００３０】
ステップベンド（パラレルベンド）と呼ばれる点線３１−７に示される形状に一点で折り曲げられたワイヤー３１の両端をブラケット１３ｂ，１４ｂにそれぞれ固定し、ワイヤー３１の二つの変曲点を位置３１ａ−７，３１ｂ−７において使用者の手で押さえると、ワイヤー３１は図示されるような曲線を呈する。このとき、ワイヤー３１は弾性により点線３１−７の位置及び形状に戻ろうとするため、図示されるように、ブラケット１３ｂを介して第一のチップ１３には上方向への力と反時計回りの回転力が掛かり、ブラケット１４ｂを介して第一のチップ１４には下方向への力と反時計回りの回転力が掛かる。なお、このときに第一のチップ１４に掛かる力の大きさは第一のチップ１３に掛かる力の大きさとほぼ等しく、図６に示される場合に第一のチップ１４に掛かる力より大きい。結果として、第一のチップ１３，１４はプレート１０上においてそれぞれ力が掛かった方向に摺動する。
【００３１】
このことから、本考案による器具の使用者は、左右の歯に対してほぼ同じ力の大きさにより、矯正対象の患者の右の歯をその先端を内側に向けつつ上方向に、患者の左の歯をその先端を外側に向けつつ下方向にそれぞれ矯正したい場合に、ステップベンド（パラレルベンド）と呼ばれる点線３１−７の形状にワイヤーを折り曲げれば良いと理解することができる。
【００３２】
なお、図４〜７に示された矯正シミュレーションの例の説明は、東京臨床出版株式会社発行の「カラーガイド  最新バイオメカニクス」（トーマス・Ｆ・ムリガン著、久保田隆朗監訳、２００９年２月１０日初版第１刷発行）第１０６頁において図示されている各矯正例に基づいている。
【００３３】
次に、水平面上における矯正シミュレーションの例について説明する。人間の上下の歯並びはそれぞれほぼ水平な一つの平面上に存在していると言え、本考案による器具によって、歯並びに含まれる歯の略水平面上の位置についての矯正シミュレーションを行うことができる。説明の簡略化のため、以下の説明においては歯並びが存在する略水平面を単に「平面」と呼ぶ。
【００３４】
図８は、本考案の器具による平面上における矯正シミュレーションの例を示す説明図である。図８は、図１の左半分に対応するプレート１０の表面を表している。図８において、第二のチップ２１〜２４は矯正対象の患者の前歯、第三のチップ１６は左奥歯、第三のチップ１８は右奥歯にそれぞれ対応し、水平面における位置は矯正対象の患者の口内における平面上の位置と同一である。プレート１０上に描かれた曲線１５は、第二のチップ２１〜２４及び第三のチップ１６，１８によって表し切れない歯の歯並びに対応している。
【００３５】
図示されるように、トーインベンドと呼ばれる点線３２−８に示される形状に二点で折り曲げられたワイヤー３２を第二のチップ２１〜２４上のブラケット２１ｂ，２２ｂ，２３ｂ，２４ｂに通し、ワイヤー３２の両端をブラケット１６ｂ，１８ｂにそれぞれ固定したと仮定する。このとき、ワイヤー３２は弾性により点線３２−８の位置及び形状に戻ろうとするため、図示されるように、ブラケット１６ｂを介して第三のチップ１６には左方向への力と反時計回りの回転力が掛かり、ブラケット１８ｂを介して第三のチップ１８には右方向への力と時計回りの回転力が掛かる。その結果、第三のチップ１６，１８はプレート１０上においてそれぞれ力が掛かった方向に摺動する。
【００３６】
このことから、本考案による器具の使用者は、矯正対象の患者の両奥歯の外側を前歯から離れる方向に向けつつ奥歯全体を外側に移動するように矯正したい場合に、トーインベンドと呼ばれる点線３２−８の形状にワイヤーを折り曲げれば良いと理解することができる。
【００３７】
図９は、本考案の器具による別の平面上における矯正シミュレーションの例を示す説明図である。図８と同様に、図９も図１の左半分に対応しており、曲線１５、第二のチップ２１〜２４及び第三のチップ１６，１８と矯正対象の患者の歯及び歯並びの対応も図８と同様である。
【００３８】
図示されるように、トーアウトベンドと呼ばれる点線３２−９に示される形状に二点で折り曲げられたワイヤー３２を第二のチップ２１〜２４上のブラケット２１ｂ，２２ｂ，２３ｂ，２４ｂに通し、ワイヤー３２の両端をブラケット１６ｂ，１８ｂにそれぞれ固定したと仮定する。このとき、ワイヤー３２は弾性により点線３２−９の位置及び形状に戻ろうとするため、図示されるように、ブラケット１６ｂを介して第三のチップ１６には右方向への力と時計回りの回転力が掛かり、ブラケット１８ｂを介して第三のチップ１８には左方向への力と反時計回りの回転力が掛かる。その結果、第三のチップ１６，１８はプレート１０上においてそれぞれ力が掛かった方向に摺動する。
【００３９】
このことから、本考案による器具の使用者は、矯正対象の患者の奥歯の外側を前歯に近づける方向に向けつつ奥歯全体を内側に移動するように矯正したい場合に、トーアウトベンドと呼ばれる点線３２−９の形状にワイヤーを折り曲げれば良いと理解することができる。
【００４０】
図１０は、本考案の器具による別の平面上における矯正シミュレーションの例を示す説明図である。図８及び図９と同様に、図１０も図１の左半分に対応しており、曲線１５、第二のチップ２１〜２４及び第三のチップ１６，１８と矯正対象の患者の歯及び歯並びの対応も図８及び図９と同様である。
【００４１】
図示されるように、インベンドと呼ばれる点線３２−１０に示される形状に二点で折り曲げられたワイヤー３２を第二のチップ２１〜２４上のブラケット２１ｂ，２２ｂ，２３ｂ，２４ｂに通し、ワイヤー３２の両端をブラケット１６ｂ，１８ｂにそれぞれ固定したと仮定する。このとき、ワイヤー３２は弾性により点線３２−１０の位置及び形状に戻ろうとするため、図示されるように、ブラケット１６ｂを介して第三のチップ１６には右方向への力が掛かり、ブラケット１８ｂを介して第三のチップ１８には左方向への力が掛かる。その結果、第三のチップ１６，１８はプレート１０上においてそれぞれ力が掛かった方向に摺動する。
【００４２】
このことから、本考案による器具の使用者は、矯正対象の患者の両奥歯全体を内側に移動するように矯正したい場合に、インベンドと呼ばれる点線３２−１０の形状にワイヤーを折り曲げれば良いと理解することができる。
【００４３】
図１１は、本考案の器具による別の平面上における矯正シミュレーションの例を示す説明図である。図８〜１０と同様に、図１１も図１の左半分に対応しており、曲線１５、第二のチップ２１〜２４及び第三のチップ１６，１８と矯正対象の患者の歯及び歯並びの対応も図８〜１０と同様である。
【００４４】
図示されるように、アウトベンドと呼ばれる点線３２−１１に示される形状に二点で折り曲げられたワイヤー３２を第二のチップ２１〜２４上のブラケット２１ｂ，２２ｂ，２３ｂ，２４ｂに通し、ワイヤー３２の両端をブラケット１６ｂ，１８ｂにそれぞれ固定したと仮定する。このとき、ワイヤー３２は弾性により点線３２−１１の位置及び形状に戻ろうとするため、図示されるように、ブラケット１６ｂを介して第三のチップ１６には左方向への力が掛かり、ブラケット１８ｂを介して第三のチップ１８には右方向への力が掛かる。その結果、第三のチップ１６，１８はプレート１０上においてそれぞれ力が掛かった方向に摺動する。
【００４５】
このことから、本考案による器具の使用者は、矯正対象の患者の両奥歯全体を外側に移動するように矯正したい場合に、アウトベンドと呼ばれる点線３２−１１の形状にワイヤーを折り曲げれば良いと理解することができる。
【００４６】
なお、図８〜１１に示された矯正シミュレーションの例の説明は、前述の「カラーガイド  最新バイオメカニクス」第１３７〜１４１頁において図示されている各矯正例に基づいている。
【００４７】
また、本考案による器具における歯を表す各チップの動きが、実際の矯正対象の患者の歯の動きとほぼ一致することは、各チップの動く方向がプレート表面上に限定されているといった制約があるものの、各チップに取り付けられた各ブラケットとこれらに固定されるワイヤーが実際の矯正歯科医療において使用されるものと同一であることから当然に推定され、歯科医師である考案者はこのことを臨床的に確認している。
【００４８】
本考案の器具による矯正シミュレーションは、上顎の歯並びと下顎の歯並びのいずれにも適用することが可能であり、また奥歯（大臼歯）のみならず切歯、犬歯、小臼歯等の任意の位置の歯にも適用することができる。さらに、歯を表すチップの大きさや配置を適宜変更することにより、人間以外の動物の歯の矯正シミュレーションにも応用することが可能である。これらのことは、当業者に容易に理解される。
【産業上の利用可能性】
【００４９】
矯正歯科の臨床現場における矯正前のシミュレーションの他、歯科大学等の矯正歯科の教育現場における学生への説明及び実習に利用することができる。また、人間の歯の矯正のみならず、家畜や愛玩動物等の動物の歯の矯正のシミュレーションに適用することも可能であり、獣医師や大学の獣医学科の学生及び教員による使用も考えられる。
【図面の簡単な説明】
【００５０】
【図１】本考案による歯の矯正をシミュレートするための器具の概略平面図を示す。
【図２】図１上の一点鎖線ＡＡ´に沿った本考案による器具の断面図である。
【図３】本考案による歯の矯正をシミュレートするための器具においてチップ上のブラケットにワイヤーを通した状態を示す。
【図４】本考案の器具による垂直方向の矯正シミュレーションの例を示す説明図である。
【図５】本考案の器具による別の垂直方向の矯正シミュレーションの例を示す説明図である。
【図６】本考案の器具による別の垂直方向の矯正シミュレーションの例を示す説明図である。
【図７】本考案の器具による別の垂直方向の矯正シミュレーションの例を示す説明図である。
【図８】本考案の器具による平面上における矯正シミュレーションの例を示す説明図である。
【図９】本考案の器具による別の平面上における矯正シミュレーションの例を示す説明図である。
【図１０】本考案の器具による別の平面上における矯正シミュレーションの例を示す説明図である。
【図１１】本考案の器具による別の平面上における矯正シミュレーションの例を示す説明図である。
【符号の説明】
【００５１】
１０  プレート
１１，１２  溝
１３，１４  第一のチップ
１３ａ，１４ａ  ボルト
１３ｂ，１４ｂ，１６ｂ，１８ｂ，２１ｂ，２２ｂ，２３ｂ，２４ｂ  ブラケット
１３ｃ，１３ｄ  ワッシャ
１５  曲線
１６，１８  第三のチップ
２１〜２４  第二のチップ
３１，３２  ワイヤー
３１−４，３１−５，３１−６，３１−７，３２−８，３２−９，３２−１０，３２−１１  点線
３１−４ａ，３１−５ａ，３１−６ａ，３１−７ａ  位置
【図１】
0003200503.tif 000003
【図２】
0003200503.tif 000004
【図３】
0003200503.tif 000005
【図４】
0003200503.tif 000006
【図５】
0003200503.tif 000007
【図６】
0003200503.tif 000008
【図７】
0003200503.tif 000009
【図８】
0003200503.tif 000010
【図９】
0003200503.tif 000011
【図１０】
0003200503.tif 000012
【図１１】
0003200503.tif 000013